(57)【要約】【課題】ベッドで横たわったままで洗髪が可能であり、洗髪の大部分を自動的に行うことも可能で、洗髪中に湯やシャンプー等の飛沫を周囲に飛散させないこと。【解決手段】頭部Ｈｈを間隔をあけて被覆する硬質の頭部カバー１と、その外縁開口部に着脱自在に接続し、被洗髪者Ｈの顔Ｈｆの周囲に密着する顔周囲被覆部材２と、その両内側に被洗髪者Ｈの耳を被覆すべく配した耳カバー５、５と、頭部カバー１に配した、その内側の被洗髪者Ｈの頭部Ｈｈに洗浄湯、シャンプー溶液及び濯ぎ湯を必要に応じて噴射することができる複数のノズル３、３…とで構成する。頭部カバー１は、その下部に排水口１ａｈを開口し、下部前側に被洗髪者Ｈの後頭部Ｈｈを載せる頭部載せ台１ｂを備えている。【選択図】  図１
0003149181.tif 000002
【実用新案登録請求の範囲】
【請求項１】
頭部を間隔をあけてカバーする硬質の頭部カバーであって、下部に排水口を開口し、下部前側に被洗髪者の後頭部を載せる頭部載せ台を備えた頭部カバーと、
前記頭部カバーの外縁部に着脱自在に接続し、被洗髪者の顔の周囲に密着する顔周囲被覆部材であって、その両内側に被洗髪者の耳を被覆する耳カバーを備えた顔周囲被覆部材と、
前記頭部カバーに配した、その内側の被洗髪者の頭部に洗浄湯、シャンプー溶液及び濯ぎ湯を必要に応じて噴射することができる複数のノズルと、
で構成した洗髪器。
【請求項２】
前記耳カバーを、被洗髪者の耳側に進出させ又は後退させるべく、顔周囲被覆部材の外部から操作可能に構成した請求項１の洗髪器。
【請求項３】
前記耳カバーを被洗髪者の耳側に進出させ又は後退させるべく顔周囲被覆部材の外部から操作可能な構成を、該耳カバーの中央に先端を回転自在に結合した雄ねじ部材と、該雄ねじ部材を螺合貫通させるべく前記顔周囲被覆部材の両側部に形成した雌ねじ部と、該雌ねじ部に螺合貫通させた該雄ねじ部材の後端に配した摘み部とで構成した請求項２の洗髪器。
【考案の詳細な説明】
【技術分野】
【０００１】
本考案は、人の頭髪を洗浄する洗髪器、特に、寝たきりの老人や、身体を動かすことのできない病人、その他の要介護者の頭髪を洗う場合に使用する洗髪器に関する。
【背景技術】
【０００２】
老人や病人等の洗髪の手段として、フェイスガードが提案されている（特許文献１）。このフェイスガードは、手で握ることができる小径円筒状のにぎりと、該にぎりから徐々に拡大するテーパ状円筒である顔の装入部とで構成されたものであり、顔の装入部の先端周縁にはゴムが被覆してある。
【０００３】
介護者が被介護者の洗髪を行う際には、被介護者にこのフェイスガードのにぎりを握らせ、その顔の装入部に顔を入れ、顔にシャンプーやお湯等が掛からないように保護した上で、その洗髪を行う。被介護者の小さな負担で顔にシャンプー等を掛からないようにできる利点があることは確かである。
【０００４】
しかし、このフェイスガードを使用しただけでは、被介護者をベッド上で洗髪するようなことはできない。このフェイスガードは、被介護者がある程度、自ら自分の身体を動かすことができる比較的、軽度の要介護者であることが前提である。
【０００５】
寝たきりの高齢者や病人のための洗髪用容器の提案がある（特許文献２）。これは、容器本体と、その中央付近に立ち上げた載頭台と、該容器本体内の載頭台に頭部を載せて仰向けになっている高齢者等の背中を支持する肩台とで構成したものである。該肩台は容器本体側に向かって徐々に高くなる傾斜状の台である。
【０００６】
この洗髪用容器の場合は、当然、以上のように寝た状態のままで使用可能であり、その面では、身体を自ら動かすことが困難になっている要介護者の洗髪の場合に有効である。しかし、この洗髪用容器は、これ自体が洗髪動作をするものではないので、洗髪動作そのものは介護者がせざるを得ない。また洗髪中、頭部が何らかの手段で囲まれているというものではないので、水滴や湯滴、シャンプーの泡等が周囲に飛散する虞も少なからずあると云わざるを得ない。また被洗髪者の顔に掛かることもあると云わざるを得ない。
【０００７】
上記洗髪用容器と類似の思想に基づいて作成された装置に移動式洗髪器（特許文献３）がある。この移動式洗髪器は、中央部が二又状になった容器本体と、該容器本体の下部に起伏自在に結合した背あて板とで構成したものであり、被洗髪者は、その首を該容器本体の二又中に装入し、背中に背あて板を当てた状態で椅子に座るか、或いは仰向けに寝ることにより洗髪をして貰うことができるようになる。前記特許文献２の洗髪容器と同様の利点欠点を有する。
【０００８】
以上の洗髪容器及び移動式洗髪器と若干類似するが少し異なるものにディスポーザブル洗髪ケープ（特許文献４）がある。これは、首を入れることができる開口部があるケープ本体と、該開口部付近に配した肩当て布と、肩部ガード壁と、ケープ本体の周縁に構成した汚水等の流出防止壁と、上部ケープ体と、前記ケープ本体及び前記上部ケープ体に配された吸収体とから構成されたものである。
【０００９】
前記開口部に首を装入して、要介護者は仰向けに寝たままで、ケープ本体上の頭部の髪を洗うことができるものである。洗髪手段があるわけではないので、介護者が洗髪をしてあげる必要があるのは、特許文献１〜３までのいずれとも同様である。また洗髪の際に湯やシャンプー等の飛沫が飛散する可能性があるのも同様である。ただし、このディスポーザブル洗髪ケープでは、汚水を他所に流し出す必要がない利点はあるが、汚水を吸収体で吸収するものであり、順次切り取って汚れを廃棄する必要があり、この点が好ましくないように思われる。
【００１０】
仰向けに寝たまま洗髪可能な装置に簡易可搬式洗髪器（特許文献５）及び洗髪装置（特許文献６）がある。
【００１１】
前者の洗髪器は、内部に頭あてを配した洗髪箱と、その手前に配した肩当てと、洗髪箱の後部に立ち上げた支柱と、支柱上部の清水タンクと、清水タンクの清水を噴霧するシャワーと、洗髪箱の下方に位置し、排水を溜める排水タンクとで構成したものであり、仰向けになった要介護者の洗髪に使用できる。
【００１２】
要介護者の肩から背中の下に前記肩当てを装入し、頭部を洗髪箱内の頭あて上に載せれば、洗髪動作を行うことができる。洗髪動作は、上部の清水タンクの清水を利用して行うことができる。排水は排水タンクに流れ込むことになる。シャンプー等を用いた洗髪動作は介護者がやってあげることになる。この場合も、洗髪動作そのものは、以上のように、介護者がやってあげる外はない。シャンプーその他の飛沫が飛散する虞があるのも、以上の他の従来例と同様である。
【００１３】
後者の洗髪装置も、大まかに云えば、ほぼ同様の構成である。同様に使用可能であり、同様の利点及び問題点がある。
【００１４】
【特許文献１】特開２００７−１０５４３４号公報
【特許文献２】特開２０００−１７５７２７号公報
【特許文献３】実用新案登録第３０１２７６０号公報
【特許文献４】特開２０００−１９７５１５号公報
【特許文献５】特開２００２−８５１３５号公報
【特許文献６】特開２００５−１４４０９４号公報
【考案の開示】
【考案が解決しようとする課題】
【００１５】
本考案は、以上に述べた従来技術の問題点を解決し、寝たきりの老人や病人等の身体を自ら動かすことのできない要介護者を含め、殆どの人のベッドで横たわったままでの洗髪が可能であり、更に洗髪の大部分を自動的に行うことも可能であり、加えて洗髪中に湯やシャンプー等の飛沫を周囲に飛散することも殆どあり得ない洗髪器を提供することを解決の課題とする。
【課題を解決するための手段】
【００１６】
本考案の１は、頭部を間隔をあけてカバーする硬質の頭部カバーであって、下部に排水口を開口し、下部前側に被洗髪者の後頭部を載せる頭部載せ台を備えた頭部カバーと、
前記頭部カバーの外縁部に着脱自在に接続し、被洗髪者の顔の周囲に密着する顔周囲被覆部材であって、その両内側に被洗髪者の耳を被覆する耳カバーを備えた顔周囲被覆部材と、
前記頭部カバーに配した、その内側の被洗髪者の頭部に洗浄湯、シャンプー溶液及び濯ぎ湯を必要に応じて噴射することができる複数のノズルと、
で構成した洗髪器である。
【００１７】
本考案の２は、本考案の１の洗髪器に於いて、前記耳カバーを、被洗髪者の耳側に進出させ又は後退させるべく、顔周囲被覆部材の外部から操作可能に構成したものである。
【００１８】
本考案の３は、本考案の２の洗髪器に於いて、前記耳カバーを被洗髪者の耳側に進出させ又は後退させるべく顔周囲被覆部材の外部から操作可能な構成を、該耳カバーの中央に先端を回転自在に結合した雄ねじ部材と、該雄ねじ部材を螺合貫通させるべく前記顔周囲被覆部材の両側部に形成した雌ねじ部と、該雌ねじ部に螺合貫通させた該雄ねじ部材の後端に配した摘み部とで構成したものである。
【考案の効果】
【００１９】
本考案の１の洗髪器によれば、殆ど寝たきりの老人や病人等であっても、介護者は、僅かの労力でそれらの要介護者の頭髪を、ベッドに寝たまま、その周辺を殆ど濡らすことなく、洗浄することができる。要介護者に対しても殆ど負担を掛けることもない。
【００２０】
洗髪する際は、まず頭部カバーを、仰向けになって寝ている要介護者等の被洗髪者の頭部の下に配し、後頭部をその内側に配してある頭部載せ台に載せる。次いで、顔周囲被覆部材を被洗髪者の顔の周囲に配しつつ、その後部縁を前記頭部カバーの外縁部に着脱自在に結合する。該顔周囲被覆部材は、こうして被洗髪者の顔の回りに密着し、頭部カバーの内側と外側とをほぼ完全に遮断した状態にする。また該顔周囲被覆部材をこのように頭部カバーの外縁に接続すると、その両内側に配してある耳カバーが被洗髪者の両耳をそれぞれ被覆することになる。
【００２１】
なお、前記頭部カバーのノズルには、通常、被洗髪者への装着に先だって、湯、シャンプー溶液及び濯ぎ湯（又は濯ぎ水）を切り換えて供給できる供給手段を接続しておく。更に頭部カバーの下部の排水口には排水タンクに接続する排水ホースを接続しておくものとする。
【００２２】
次いで、必要に応じて、ノズルから所望の時間、湯を噴出させ、また必要に応じてシャンプー溶液を所望の時間噴出させ、その後、濯ぎ湯を噴出させて、被洗髪者の頭部及び頭髪を洗浄する。このとき頭部カバーの下方に流下した汚れた湯等は、前記排水口及び排水ホースを通じて排水タンクに送り出されることになる。
【００２３】
また噴出する湯等は、頭部に衝突し、或いは接触して、その汚れを除去するものであるが、これによって生じる飛沫は頭部カバーで遮断され、外部に飛散することはない。また顔周囲被覆部材によって顔の周囲が密着状態に閉じられているので、これらの部位から湯やシャンプー等がしみだすようなこともない。従って被洗髪者の周囲が濡れるような虞は殆どない。
【００２４】
また、前記のように、介護者は、この装置を被洗髪者に装脱すること及びノズルへの湯やシャンプーの供給の切換をする程度の作業で被洗髪者の洗髪作業を行うことが可能であり、非常に労力が軽減されるものでもある。
【００２５】
本考案の２の洗髪器によれば、本考案の１の洗髪器の効果を全て有することに加えて、前記耳カバーを前記のように動くように構成したため、この洗髪器を装着した上で、外側から進退調節して、この耳カバーを確実に耳に被覆させるように調節することが可能であり、被洗髪者の耳への湯やシャンプーの浸入を確実に回避することができる。
【００２６】
本考案の３の洗髪器によれば、本考案の２の洗髪器の効果を全て有することに加えて、前記耳カバーの操作が極めて簡単である利点がある。
【考案を実施するための最良の形態】
【００２７】
考案を実施するための最良の形態を一実施例に基づき、図面を参照しながら詳細に説明する。
【００２８】
この実施例の洗髪器は、図１、図２(a)、図３及び図４に示すように、基本的に、頭部Ｈｈを間隔をあけてカバーする硬質の頭部カバー１と、該頭部カバー１の前側外縁部に着脱自在に接続し、被洗髪者Ｈの顔Ｈｆの周囲に密着する顔周囲被覆部材２と、前記頭部カバー１に配した、その内側の被洗髪者Ｈの頭部Ｈｈに洗浄湯、シャンプー溶液及び濯ぎ湯を必要に応じて噴射することができる複数のノズル３、３…と、で構成したものである。
【００２９】
前記頭部カバー１は、図１、図２(a)、図３及び図４に示すように、被洗髪者Ｈの概ね後頭部Ｈｈを間隔をあけて被覆する硬質のヘルメット状部材であり、該頭部カバー１には、前記複数のノズル３、３…を、この洗髪器を装着状態とした被洗髪者Ｈの頭部Ｈｈに洗浄湯、シャンプー溶液及び濯ぎ湯を、順次、或いは必要に応じて噴射させるべく、各々の間隔を適切に離間させて配してある。該頭部カバー１の下部には中央に向かって低くなるテーパ状底面１ａが構成してあり、その最低部である中央部に排水口１ａｈが開口してある。該排水口１ａｈの下部には、排水ホース４を結合できるようになっている。
【００３０】
該頭部カバー１は、特に図２(a)、図３及び図４に示すように、その下部前側に被洗髪者Ｈの後頭部Ｈｈを載せる頭部載せ台１ｂが配してある。この頭部載せ台１ｂは、同図に示すように、直立状態の基部１ｂ１と、その上端から後方に倒れた斜面状の台座部１ｂ２とで構成したものであり、該基部１ｂ１は、特に図２(a)に示すように、その最下部が二又状の結合部１ｂ１ｋになっており、これで前記頭部カバー１の下部前側に構成してある取付部１ａｋに結合してある。該頭部カバー１の下部前側の取付部１ａｋは、同図に示すように、該頭部載せ台１ｂに於ける基部１ｂ１の結合部１ｂ１ｋの内側部分ｕを装入する溝ｍと、該溝ｍに装入した結合部１ｂ１ｋの内側部分ｕとその表側部分ｏとで挟持される溝外側の直立板状部ｃとからなり、以上に述べたように、該頭部載せ台１ｂに於ける基部１ｂ１の結合部１ｂ１ｋの内側部分ｕを該溝ｍに装入し、表側部分ｏを該直立板状部ｃの外側に垂下させると、この状態で固定状態となる。
【００３１】
該頭部載せ台１ｂの台座部１ｂ２は、前記のように、後方に倒れた斜面状の構成であり、図３及び図４に示すように、上部上面側には中央部に被洗髪者Ｈの後頭部Ｈｈを載せる凹部が形成してあり、周囲には、水切り用の穴ｇ、ｇ…が開口してある。
【００３２】
また前記頭部カバー１の前側の開口部縁には、図２(b)に示すように、該開口部縁に沿って連結部１ｃを構成しておくものとする。この連結部１ｃは、同図に示すように、開口部縁に沿って内側を切り欠いて形成する。切り欠きは、連結部１ｃの断面形状が先端側で厚く、後端部側で薄くなるように行うものである。
【００３３】
前記顔周囲被覆部材２は、前記頭部カバー１の外縁の開口部縁に、その内側縁の連結部２ｃで着脱自在に結合して、図１に示すように、被洗髪者Ｈの顔Ｈｆの周囲を被覆するものである。その外縁には、内部の洗浄湯等が外部に漏れ出ないように、密着するパッキン部２ｐが構成してある。またその両内側には耳カバー５、５が配してある。
【００３４】
前記連結部２ｃは、図２(b)に示すように、前記顔周囲被覆部材２の内側縁に沿って、前記頭部カバー１の連結部１ｃと基本的には対称形に構成し、ただし、その先端には、該連結部１ｃの内側に滑り込みやすくする趣旨で、同図に示すように、曲面上の面取りを施しておくものとする。そして該顔周囲被覆部材２を該頭部カバー１の前面側に配置して、該連結部２ｃ側から押し込むと、該連結部２ｃが弾力的に変形して該頭部カバー１の前面開口部縁の連結部１ｃの内側に滑り込むようにして入り込み、同図に示すように、相互は連結状態になる。該顔周囲被覆部材２は、以上の連結部２ｃを含めて全体を弾力性を有する、例えば、弾性のプラスチック類で構成する。
【００３５】
該顔周囲被覆部材２の前縁は、前記したように、パッキン部２ｐであり、これは、図２(a)に示すように、前縁に沿って内側に膨らんだ構成としたものである。この部位に弾力性のある部材を貼り付けて構成することも可能であるが、この実施例では、顔周囲被覆部材２全体を弾力性のある部材で構成し、この部位は、上記のように、土手状に膨らんだ構成としたものである。従って、図１に示すように、被洗髪者Ｈへの装着状態では、該パッキン部２ｐが顔Ｈｆの周囲に密着することになる。
【００３６】
前記耳カバー５、５は、特に図３に示すように、顔周囲被覆部材２の両内側に配してあり、両側外部の摘み部５ａ、５ａを回転操作することで、進退動作させ、この洗髪器を装着状態の被洗髪者Ｈの耳を密着被覆状態にすることができるようにしてある。
【００３７】
該耳カバー５、５は、それぞれ、図１、図２(a)及び図３に示すように、楕円形容器状の弾力性部材であり、普通の大人の耳を覆うことができるサイズに構成してある。これらの耳カバー５、５は、特に図３に示すように、その中央に先端を回転自在に結合した雄ねじ部材５ｂ、５ｂと、該雄ねじ部材５ｂ、５ｂを螺合貫通させるべく前記顔周囲被覆部材２の両側部に形成した雌ねじ部２ｓ、２ｓと、該雌ねじ部２ｓ、２ｓに螺合貫通させた該雄ねじ部材５ｂ、５ｂの後端に配した摘み部５ａ、５ａとで構成したものである。
【００３８】
それ故、該耳カバー５、５は、摘み部５ａ、５ａを回転操作することによって、顔周囲被覆部材２の側部に接する状態から離れて奥側に移動したり、逆に顔周囲被覆部材２の側部に接する側に戻ってきたりすることができる。該耳カバー５、５は、洗髪器を被洗髪者Ｈに装着状態とした場合は、それらが最も顔周囲被覆部材２の側部に近接している状態であっても、被洗髪者Ｈの耳に接触状態程度にはなるように配置してある。それ故、雄ねじ部材５ｂ、５ｂを回転させても、それとともに回転してしまうような虞はない。
【００３９】
従ってこの実施例の洗髪器によれば、殆ど寝たきりの老人や病人等であっても、介護者は、僅かの労力でそれらの要介護者の頭髪を、ベッドに寝たまま、その周辺を殆ど濡らすこともなく、洗浄することができる。要介護者に対しても殆ど負担を掛けることもない。
【００４０】
洗髪する際は、予め、前記頭部カバー１のノズル３、３…には、湯、シャンプー溶液及び濯ぎ湯（又は濯ぎ水）を切り換えて供給できる供給手段から延長したホースを接続しておく。また頭部カバー１の下部の排水口１ａｈには排水タンクから延長した排水ホース４を接続しておくものとする。
【００４１】
このような準備をした上で、被洗髪者Ｈに洗髪器を装着する。まず顔周囲被覆部材２を外した上で、頭部カバー１を、仰向けになって寝ている要介護者等の被洗髪者Ｈの頭部Ｈｈの下に置き、被洗髪者Ｈの後頭部Ｈｈを該頭部カバー１の内側に配してある頭部載せ台１ｂの台座部１ｂ２上に載せる。次いで、前記顔周囲被覆部材２を、これで被洗髪者Ｈの顔Ｈｆを囲むように配しつつ、その内側の縁の連結部２ｃを前記頭部カバー１の外縁部の連結部１ｃに押し込むようにして着脱自在に結合する。こうして、該顔周囲被覆部材２は、その外縁部内側のパッキン部２ｐが被洗髪者Ｈの顔Ｈｆの回りに密着し、頭部カバー１の内側と外側とをほぼ完全に遮断した状態にする。また該顔周囲被覆部材２をこのように頭部カバー１の外縁に接続する際に、その両内側に配してある耳カバー５、５を被洗髪者Ｈの両耳に被覆状態になるようにする。
【００４２】
この状態で、前記摘み部５ａ、５ａを回転操作して、前記耳カバー５、５が良好に被洗髪者Ｈの耳を覆い、かつ確実に密着するようにし、被洗髪者Ｈの耳に洗浄湯等が入ることのないようにする。この操作は、以上のように極めて簡単に行い得る。
【００４３】
この後、必要に応じて、ノズル３、３…から所望の時間、湯を噴出させ、又必要に応じてシャンプー溶液を所望の時間噴出させ、その後、濯ぎ湯を噴出させて、被洗髪者Ｈの頭部Ｈｈ及び頭髪を洗浄する。これは前記供給手段のバルブ類を操作して自由に動作させることができる。このとき、頭部カバー１の下方に流下した汚れた湯等は、前記排水口１ａｈ及び排水ホース４を通じて排水タンクに送り出されることになる。
【００４４】
またノズル３、３…から噴出する湯等は、頭部に衝突し、或いは接触して、その汚れを除去するものであるが、これによって生じる飛沫は頭部カバー１で遮断され、外部に飛散することはない。また顔周囲被覆部材２によって顔の周囲が密着状態に閉じられているので、これらの部位から湯やシャンプー等がしみだすようなこともない。従って被洗髪者Ｈの周囲が濡れるような虞は殆どない。
【００４５】
洗髪後は、ノズル３、３…から濯ぎ湯を噴射させて、十分濯いで、該ノズル３、３…からの噴射を止めた後、前記顔周囲被覆部材２を若干強く引くことで頭部カバー１側から取り外す。この状態で、介護者は、被洗髪者Ｈの顔Ｈｆの周囲の雫等を拭き取り、更に頭部Ｈｈを若干持ち上げ、頭部カバー１を取り除いた上で、該被洗髪者Ｈの頭部Ｈｈの水分をタオル等で拭き取り除去する。その後は一般のやり方に従ってドライヤー等を利用して髪の乾燥を行う。
【００４６】
介護者は、この洗髪器による洗髪作業では、以上のように、この装置を被洗髪者Ｈの頭部Ｈｈに装着すること、ノズル３、３…への湯やシャンプーの供給の切換をすること、及び洗髪完了後にこの洗髪器を取り外して、被洗髪者Ｈの頭部Ｈｈの乾燥作業を行う程度の比較的軽微な作業で被洗髪者Ｈの洗髪作業を行うことが可能であり、非常に労力が軽減されるものでもある。
【図面の簡単な説明】
【００４７】
【図１】被洗髪者の頭部に実施例の洗髪器を装着した状態の側面説明図（一部のノズルは煩雑になるため図示を省略してある）。
【図２】(a)は実施例の洗髪器の縦断側面説明図、(b)は頭部カバーの連結部と顔周囲被覆部材の連結部との結合状態を示した拡大断面図。
【図３】実施例の洗髪器の縦断正面説明図。
【図４】実施例の洗髪器の正面説明図。
【符号の説明】
【００４８】
１    頭部カバー
１ａ  テーパ状底面
１ａｈ  排水口
１ａｋ  取付部
１ｂ  頭部載せ台
１ｂ１  基部
１ｂ１ｋ  結合部
１ｂ２  台座部
１ｃ  頭部カバーの連結部
２    顔周囲被覆部材
２ｃ  顔周囲被覆部材の連結部
２ｐ  パッキン部
２ｓ  雌ねじ部
３    ノズル
４    排水ホース
５    耳カバー
５ａ  摘み部
５ｂ  雄ねじ部材
ｃ    頭部カバー下部の直立板状部
ｇ    水切り用の穴
ｍ    頭部カバー下部の溝
ｏ    表側部分
ｕ    頭部載せ台の結合部の内側部分
Ｈ    被洗髪者
Ｈｆ  顔
Ｈｈ  頭部
【図１】
0003149181.tif 000003
【図２】
0003149181.tif 000004
【図３】
0003149181.tif 000005
【図４】
0003149181.tif 000006